(57)【要約】【課題】万年筆にインキを補給する際に、ペン先部をインキで汚してしまうことがなく、また容器本体内のインキの量が減った場合でも、インキの吸入を行うことができるインキ用容器を得る。【解決手段】インキ４を収容する容器本体２と、容器本体２の開口部２ａを閉塞する蓋体５と、容器本体２の開口部２ａにおける上面３ｂから突出して万年筆のペン芯に形成された空気溝に挿着される上端部６ｂと容器本体２の内底面２ｄに近接する下端部６ｃとを有した管状体６と、を備えたインキ用容器１。【選択図】図１
2018140527.tif 000002
【特許請求の範囲】
【請求項１】
インキを収容する容器本体と、
前記容器本体の開口部を閉塞する蓋体と、
前記容器本体の開口部における上面から突出して万年筆のペン芯に形成された空気溝に挿着される上端部と前記容器本体の内底面に近接する下端部とを有した管状体と、
を備えたインキ用容器。
【発明の詳細な説明】
【技術分野】
【０００１】
本発明は、筆記具用のインキを収容するインキ用容器に関する。
【背景技術】
【０００２】
従来より、ペン芯の後方に装着したインキ吸入器を操作することでインキタンク内へインキを補給する構造の万年筆は知られており、このような万年筆にインキの補給を行う場合、インキ用容器内に収容したインキの吸入が行われる。
【０００３】
万年筆にインキを補給する際には、万年筆のペン先を容器本体内に挿入してインキを吸引して補給するが、その際、ペン芯をインキに浸けることから、ペン先部が汚れてしまう。
ペン先部が汚れた場合には、インキが自然に乾くか、使用者がペン先部のインキを拭き取ってから使用することになる。
【０００４】
また、インキ用容器は、インキが少なくなった際に、ペン芯がインキに浸かり難くなることから、特許文献１（意匠登録第１１０８８５０号公報）に示されているように、容器本体内に、インキの貯留部を有したアダプターを挿着するインキ用容器も存在している。このアダプターは、容器本体内のインキの残量が少なくなってきた際に、容器本体にキャップをした状態で、当該容器本体を傾けたり引っ繰り返したりすることで、アダプターのインキ貯留部にインキを貯めてペン先部をインキに浸かりやすくさせ、インキの吸入を行いやすくすることができる。
しかしながら、アダプターを有したインキ用容器であっても、インキを吸入する際にはペン先部をインキに浸ける必要があり、ペン先部は汚れてしまう。
【先行技術文献】
【特許文献】
【０００５】
【特許文献１】意匠登録第１１０８８５０号公報
【発明の概要】
【発明が解決しようとする課題】
【０００６】
本発明では、万年筆にインキを補給する際に、ペン先部をインキで汚してしまうことがなく、また容器本体内のインキの量が減った場合でも、インキの吸入を行うことができるインキ用容器を得ることを目的とした。
【課題を解決するための手段】
【０００７】
本発明は、
「インキを収容する容器本体と、
前記容器本体の開口部を閉塞する蓋体と、
前記容器本体の開口部における上面から突出して万年筆のペン芯に形成された空気溝に挿着される上端部と前記容器本体の内底面に近接する下端部とを有した管状体と、
を備えたインキ用容器。」である。
【０００８】
本発明によれば、管状体の上端部を、万年筆のペン芯の空気溝に挿着させることで、ペン先部を汚さずに、容器本体内のインキを万年筆のインキタンク内へ補給することが可能となり、管状体の下端部が容器本体の内底面に近接することから、容器本体内のインキの量が減った場合でも、容器本体の底の方に残ったインキを管状体の下端部から上方へ吸い上げることが可能となる。
【０００９】
本発明における容器本体の開口部における上面とは、管状体を装着する容器本体の開口部自体の上面、あるいは管状体を取り付けるために開口部に装着した連結部材の上面のことをいい、管状体の上端部を、前記上面から１０ｍｍ〜３０ｍｍの長さで突出させることで、万年筆のペン芯の空気溝に対して挿着させやすいものとなる。
尚、１０ｍｍより短いと、ペン先が容器本体の上面に接触して管状体の上端部をペン芯の空気溝に挿着し難くなり、３０ｍｍより長いと、ペン芯の空気溝に管状体の上端部を挿着する際に当該上端部が振れて挿着し難くなってしまう。
尚、前記上面を、容器本体の開口部の上縁より下方に位置させることにより、インキを吸入した後に、管状体の上端部から外したペン芯からインキが垂れてしまった場合でも、垂れたインキが、容器本体の開口部内に落下することで、机や紙面などをインキで汚してしまうことを防止することができる。
また前記上面に、前記管状体を取り付ける中心方向に向かって下方へ傾斜する斜面を形成し、斜面の下端部にインキが流通できるスリットを設けることにより、ペン芯から垂れたインキを再び容器本体内へ収容させることが可能となる。
【００１０】
管状体は、ポリスチレン系樹脂、ポリ塩化ビニル系樹脂、ポリエチレンテレフタレート系樹脂、ポリプロピレン系樹脂、ポリエチレン系樹脂などの樹脂材で成形することができ、また透明にすることで、管状体の内部を流れるインキを視認することが可能となる。また管状体は、インキに対して耐食性が強いステンレス材で成形することもできる。また管状体は、樹脂材とステンレス材とを組み合わせて成形することもできる。
【００１１】
尚、管状体は、蓋体を外した状態で、容器本体の上面より上端部を突出させる必要があり、常に容器本体の開口部から上端部を突出させた状態にする場合には、その管状体の上端部に対して蓋体が覆い被さるような形状に当該蓋体を成形することができる。
あるいは、大径の筒部材の内部に小径の筒部材を挿着して伸縮可能にした飲料用のストローのように、管状体を複数の筒部材で形成して上下方向に伸縮できるようにすることで、管状体の上端部が上面より突出する構造としてもよい。
あるいは、容器本体の内部に収容された管状体の一部に上下方向に圧縮される弾性変形部を設けることにより、容器本体に蓋体をした状態においては、管状体の上端部が蓋体に押さえ付けられ、容器本体から蓋体を外した状態においては、管状体の上端部が容器本体の上面から突出する構成とすることも可能である。前記弾性変形部は、容器本体に蓋体をした状態で、下方に圧縮変形させるコイルスプリング形態としたり、真っ直ぐな管状体の下方を容器本体の内部で斜めに湾曲させながら下端部を該容器本体の内面に当接させるよう変形させることにより、容器本体から蓋体を外す際にその前記変形が戻る弾発力で、管状体の上端部を容器本体の上面より突出させるものである。
【００１２】
管状体の上端部は、万年筆のペン芯に形成された空気溝に挿通できるよう形成する必要があり、ペン芯の空気溝の内側面に対して密着可能にすることで、インキ吸入器の吸引力が空気溝から管状体に全て伝わって効率よく吸入を行うことができる。
したがって、管状体の外側面の外面形状を空気溝の内側面の内面形状と一致するよう形成したり、空気溝の内側面の内面形状に応じて管状体の外側面の外面形状を変形させながら密着するように構成することで、インキの吸入効率を向上させることが可能となる。管状体の外面形状を空気溝の内面形状に応じて変形できるようにする場合には、管状体の上端部に、外力によって変形しやすい柔らかいシリコン系樹脂やウレタン系樹脂などを被覆したり、管状体自体を変形しやすい材料で成形すればよい。
尚、前記ペン芯の空気溝は、筆記時に、ペン先と隣設したインキ溝からインキが流出するのに伴って外部からインキタンク内へ空気を取り込み、インキ吸入時に、インキ用容器内のインキを吸引することから、毛管力を働かせるインキ溝の大きさとは異なり、外部から視認して、管状体を挿着することができる。
【００１３】
管状体の内部に形成する孔部は、インキ吸入器で吸引された際に容器本体内のインキが流動できる形態とすればよく、特にその形状が限定されるものではない。
尚、管状体の孔部を毛管力が働く形状にすることで、容器本体にあるインキを毛管力で管状体の下端部から吸い上げて上端部まで流動させることが可能となる。
【００１４】
容器本体に対して管状体は、特にその取付方法が限定されるものではない。
容器本体の開口部に、シリコン系樹脂やウレタン系樹脂あるいはコルクなど気密がとれる軟質材で成形した連結部材を装着し、その連結部材に形成した貫通孔に対して管状体を挿着することで取り付けることができる。この場合、ペン先が連結部材に接触したとしても、ガラス製の容器本体にペン先が接触することに比較してペン先の損傷を防止することができる。
前述したように、管状体の上端部を常に容器本体の開口部から突出した状態にする場合には、連結部材の貫通孔の内側面に上下方向に延びる複数の突条を形成して、管状体の外側面を複数の突条で嵌着させることにより、管状体を容器本体に対して固定することができ、ペン芯の空気溝に対して管状体の上端部を挿通させる際に、管状体が容器本体に固定されていることから挿通させやすいものとなる。この場合のインキ吸入時には、インキが減少した分の空気を複数の突条の間のスリットから容器本体内に取り込むことができ、また管状体の下端部を容器本体の内底面で塞ぐことなく浮かせた状態で維持できることから、インキの流動が妨げられることがない。
同様に、大径の筒部材の内部に小径の筒部材を挿着させて上下方向に伸縮可能にした管状体を用いる場合には、容器本体の開口部に挿着した前記連結部材の貫通孔の内側面に対し、管状体の大径の筒部材を嵌着させることで、小径の筒部材が大径の筒部材に対して上下方向に摺動できるようになり、小径の筒部材の上端部を容器本体の上端面から突出させることが可能となる。
あるいは前述したように、容器本体に蓋体をした状態において、容器本体の内部に収容された管状体の一部を弾性変形させて配設する場合には、容器本体から蓋体を外すことで、蓋体により押さえ付けられていた管状体の上端部を容器本体の上面から突出させる必要があることから、管状体の外側面と連結部材の貫通孔の内側面との間に僅かな隙間を設けることで、連結部材に対する管状体の摺動性がよくなり、蓋体を外した際に、管状体の上端部が容器本体の上面から滑らかに突出できるようになる。
【発明の効果】
【００１５】
本発明によれば、万年筆にインキを補給する際に、ペン先部をインキで汚してしまうことがなく、また容器本体内のインキの量が減った場合でも、インキの吸入を行うことができるインキ用容器を得ることができる。
【図面の簡単な説明】
【００１６】
【図１】本実施例のインキ用容器の縦断面図である。
【図２】図１のインキ用容器から蓋体を外した状態を示す縦面図である。
【図３】図１のＡ−Ａ線中央部拡大端面図である。
【図４】万年筆にインキを補給している状態を示す縦断面図である。
【発明を実施するための形態】
【００１７】
以下に、図面を参照して本発明の実施例を詳細に説明する。
【００１８】
図１は、本実施例のインキ用容器の縦断面図であり、図２は、図１のインキ用容器から蓋体を外した状態を示す縦面図であり、図３は、図１のＡ−Ａ線中央部拡大端面図であり、図４は、万年筆にインキを補給している状態を示す縦断面図である。
【００１９】
インキ用容器１は、容器本体２の開口部２ａに円板状の連結部材３を嵌着してある。
また、容器本体２のインキ収容部２ｂには、インキ４を収容してあり、容器本体２の開口部２ａを蓋体５で閉塞する。
本実施例の連結部材３はシリコン系樹脂で形成してあり、中心に形成した上下に延びる貫通孔３ａに対して管状体６を挿着してある。連結部材３の上面３ｂには、中心方向に向かって下方へ傾斜する斜面３ｃを形成してあり、斜面３ｃの下端部には三つのスリット３ｄを設けてあり、スリット３ｄ間に三つの突条３ｅを設けてある。
連結部材３の外面３ｆは、容器本体２の開口部２ａの内面２ｃに密着しているが、三つのスリット３ｄにより、蓋体５を外した状態でインキ収容部２ｂと外部との空気の流通ができるようになっており、各スリット３ｄの巾を狭く形成してあることから、開口部２ａが開いた状態よりインキ４の乾燥を軽減することができる。
【００２０】
本実施例の管状体６はステンレスで形成してあり、外側面６ａが連結部材３の三つの突条３ｅで挟持され固定されている。管状体６の上端部６ｂは、連結部材３の上面３ｂより突出させており、管状体６の下端部６ｃは、容器本体２の内底面２ｄに近接させてある。
管状体６は、上端部６ｂの上端６０ｂを容器本体２の開口部２ａから２０ｍｍ突出させてあり、下端部６ｃの下端６０ｃを容器本体２の内底面２ｄから３ｍｍ離間させてある。
また蓋体５は、突出した管状体６の上端部６ｂを被覆するように形成してあり、蓋体５の内天面５ａに対して管状体６の上端６０ｂが当接した状態で、管状体６の上端６０ｂが連結部材３の上面３ｂから２０ｍｍ突出すると共に、管状体６の下端部６ｃの下端６０ｃが容器本体２の内底面２ｄから３ｍｍ離間するようにしてある。
したがって、インキ用容器１の組立時においては、管状体６の上端部６ｂの上端６０ｂを２０ｍｍ以上突出させておき、容器本体２の雄螺子２ｅに対して、蓋体５の雌螺子５ｂを螺合させてゆくことにより、管状体６が徐々に下方へ下がり、前述の上端部６ｂの上端６０ｂが上面３ｂから２０ｍｍ突出した状態で、且つ下端部６ｃの下端６０ｃが内底面２ｃから３ｍｍ離間した状態に自動的になる。
【００２１】
また、図１、図２および図４に示す通り、本実施例では、管状体６の下端６０ｃが容器本体２の内底面２ｄから離間していることから、インキ４が管状体６の孔部６ｄに吸引されやすくなっており、また、管状体６の下端面６１ｃを軸心に対して４５度傾斜させてあることから、インキの吸入時に、万年筆のペン芯で押されて管状体６の下端６０ｃが内底面２ｄに当接した場合においても、４５度で傾斜している下端面６１ｃから露出した孔部６ｄは、内底面２ｄにより塞がれてしまうことがないため、インキ４の流動が妨げられることはない。
尚、管状体６の上端面６１ｂも、同じく４５度で傾斜させており、万年筆のペン芯の空気溝に管状体６の上端部６ｂを挿通させやすくなっている。
【００２２】
次に図４を用いて、万年筆にインキを補給する状態について説明を行う。
万年筆１００は、ペン先１０１とペン芯１０２とを重ねたペン先部１０３を下方に向け、ペン芯１０２に形成した空気溝１０２ａに、連結部材３の上面３ｂから突出した管状体６の上端部６ｂを挿通させ、インキ吸入機構１０４の回転操作部１０５を回転することで弁体１０６を前進させた状態にして、回転操作部１０５を逆回転することで弁体１０６を後退させてインキタンク１０７内を負圧にし、ペン芯１０２を通してインキ収容部２ｂのインキ４を万年筆１のインキタンク１０７に吸入することができる。
本実施例では、内面が直径２ｍｍである空気溝１０２ａのペン芯１０２に対して、外面が直径１．９ｍｍである管状体６としてあり、ペン芯１０２の空気溝１０２ａに対して管状体６が密着することで、インキ吸入機構１０４の吸引力が空気溝１０２ａから管状体６に全て伝わって効率よく吸入を行うことができる。
【００２３】
本実施例のインキ用容器１によれば、万年筆１００のペン先部１０３をインキ４に浸けることなく、
インキ４の吸入を行うことができるので、ペン先部１０３がインキ４によって汚れてしまうことがない。
また、管状体６の下端部６ｃが容器本体２の内底面２ｄに近接することから、容器本体２内のインキ４の量が減った場合でも、容器本体２の底の方に残ったインキを管状体６の下端部６ｃから上方へ吸い上げることが可能となる。
【００２４】
また、連結部材３の上面３ａに、中心方向に向かって下方へ傾斜する斜面３ｃを形成してあることから、インキ４の吸入後に、ペン芯１０２から垂れたインキは、斜面３ｃを流れて、スリット３ｄを通って再び容器本体２のインキ収容部２ｂに再び収容される。
【符号の説明】
【００２５】
１…インキ用容器、
２…容器本体、２ａ…開口部、２ｂ…インキ収容部、２ｃ…内面、２ｄ…内底面、２ｅ…雄螺子、
３…連結部材、３ａ…貫通孔、３ｂ…上面、３ｃ…斜面、３ｄ…スリット、３ｅ…突条、３ｆ…外面、
４…インキ、
５…蓋体、５ａ…内天面、５ｂ…雌螺子、
６…管状体、６ａ…外側面、６ｂ…上端部、６０ｂ…上端、６１ｂ…上端面、６ｃ…下端部、６０ｃ…上端、６１ｃ…下端面、６ｄ…孔部、
１００…万年筆、１０１…ペン先、１０２…ペン芯、１０２ａ…空気溝、１０３…ペン先部、１０４…インキ吸入機構、１０５…回転操作部、１０６…弁体、１０７…インキタンク。
【図１】
2018140527.tif 000003
【図２】
2018140527.tif 000004
【図３】
2018140527.tif 000005
【図４】
2018140527.tif 000006